(57)【要約】【課題】本発明は、ラックに確実に固定され、且つ前面から作業で取り付けできるラックマウント用機器の取り付け構造を提供することを目的としている。【解決手段】本発明に係るラックマウント用機器の取り付け構造は、マウントアングルに固定される固定部と、ラックマウント用機器の側面に取り付けられる取り付け部と、ラックマウント用機器の後方を支持する支持部とを断面略コ字状に折曲形成した取り付け金具を介してラックマウント用機器をラックに収納固定可能としたことを特徴とする。【選択図】図１
2009283729.tif 000002
【特許請求の範囲】
【請求項１】
ラックの前面側に設けられたマウントアングルに取り付けられ、複数段に搭載されるラックマウント用機器の取り付け構造であって、前記マウントアングルに固定される固定部と、前記ラックマウント用機器の側面に取り付けられる取り付け部と、前記ラックマウント用機器の後方を支持する支持部とを断面略コ字状に折曲形成した取り付け金具を介して前記ラックマウント用機器を前記ラックに収納固定可能としたことを特徴とするラックマウント用機器の取り付け構造。
【請求項２】
前記ラックマウント用機器の取り付け構造であって、前記支持部にはパネルファスナーをかしめ加工により取り付け、ねじ体を前記取り付け金具に実装したことを特徴とする請求項１に記載のラックマウント用機器の取り付け構造。
【請求項３】
前記ラックマウント用機器の取り付け構造であって、前記固定部には、前記支持部に実装されたねじ体の締め付け作業をするための貫通穴を設けたことを特徴とする請求項２に記載のラックマウント用機器の取り付け構造。
【発明の詳細な説明】
【技術分野】
【０００１】
本発明は、ラックの前面側に設けられたマウントアングルに取り付けられ、複数段に搭載されるラックマウント用機器の取り付け構造に関するものである。
【背景技術】
【０００２】
ラックの前面側にはマウントアングル３１が設けられ、ラックマウント用機器３２には、マウントアングル３１に前面からねじ止め等によりラックマウント用機器３２が固定できるような構造となっている。ラックマウント用機器３２は、断面略Ｌ字状に折曲し前面固定部３３と側面支持部３４とを形成した取り付け金具３５を介して、マウントアングル３１に固定される。従来は、ラックマウント用機器３２は前面側でマウントアングル３１にだけ支持させていた。
【０００３】
また、ラックマウント用機器の奥行き寸法が大きく、マウントアングルだけではその重量を支えきれない虞のある場合には、ラックのサイド部分に別途アングルを取り付け、ラックマウント用機器のサイド部分に取り付けた取り付け金具を介して、二点で固定していた。
【特許文献１】特開２００４−５５９８１号公報
【発明の開示】
【発明が解決しようとする課題】
【０００４】
しかしながら、上記従来の方法で、ラックマウント用機器を設置した状態でラックを輸送した場合、前面側のみ固定されているラックマウント用機器は、後方部が共振し、上下段に搭載されている機器に当たり、損傷を与える虞があり、緩衝材で保護する等の作業が必要となり、費用も手間もかかっていた。
【０００５】
また、ラックにマウントアングルとは別にアングルを取り付けて、ラックマウント用機器の後方部を支持する場合では、アングルとラックマウント用機器との固定作業は、ラックのサイド部から行わなくてはならず、サイドパネルを外しての作業であった。そのため、ラックを複数台並設した場合や、単独で設置した場合でもラックの設置場所の周囲にスペースの余裕がない場合は、サイドパネルを外しての、ラックマウント用機器の固定作業は困難であった。さらには、奥行き寸法が異なるラックマウント用機器をひとつのラックに混載するとき、ラックマウント用機器の奥行き寸法に合わせてアングルを設け、ラックマウント用機器の後方部を支持したい場合でも、その搭載数によっては、アングル同士が干渉して取り付けが困難な場合もあった。
【課題を解決するための手段】
【０００６】
そこで本発明は、ラックに確実に固定され、且つ前面から作業で取り付けできるラックマウント用機器の取り付け構造を提供することを目的とし、その構造は、マウントアングルに固定される固定部と、ラックマウント用機器の側面に取り付けられる取り付け部と、ラックマウント用機器の後方を支持する支持部とを断面略コ字状に折曲形成した取り付け金具を介してラックマウント用機器をラックに収納固定可能としたことを特徴とする。
【０００７】
また、支持部にはパネルファスナーをかしめ加工により取り付け、ねじ体を取り付け金具に実装したことを特徴とする。
【０００８】
また、固定部には、支持部に実装されたねじの締め付け作業をするための貫通穴を設けたことを特徴とする。
【発明の効果】
【０００９】
本発明に係るラックマウント用機器の取り付け構造は、マウントアングルに固定される固定部と、ラックマウント用機器の側面に取り付けられる取り付け部と、ラックマウント用機器の後方を支持する支持部とを断面略コ字状に折曲形成した取り付け金具を介してラックマウント用機器をラックに収納固定可能としたため、ラックマウント用機器を取り付け部と支持部との二点で支持でき、輸送時にラックマウント用機器が振動によって振れ、上下段に搭載の機器に干渉することがなく、耐久性を向上させることができる。
【００１０】
また、支持部にはパネルファスナーをかしめ加工により取り付け、ねじ体を取り付け金具に実装したため、ラックマウント用機器の取り付け作業が円滑に行え、作業性を向上させることができる。また、ラックマウント用機器を取り外すためにねじを緩めても、脱落することがないため紛失せず、脱落したねじによる短絡事故発生の虞もなく安全である。
【００１１】
また、固定部には、支持部に実装されたねじ体の締め付け作業をするための貫通穴を設けたため、ラックマウント用機器の後方部を支持するための固定作業も、ラックの前面側から行えるため、作業性が向上する。
【発明を実施するための最良の形態】
【００１２】
本発明に係るラックマウント用機器の取り付け構造の実施例を図１〜図３の添付図面に基いて説明する。
【００１３】
ラックの前面側の間口の両側にはマウントアングル１を設けている。機器は、ラックマウント用に構成されたものは、マウントアングル１に直接ねじ止めして取り付けたり、そうでないものは、専用の金具等を用いてラックに収納される。ラックには、複数の機器を段状に積み重ねるように取り付けられる。ラックマウント用機器２の取り付け構造は、マウントアングル１には機器固定部３が形成されていて、機器固定部３に固定穴（図示せず）が設けられている。ラックマウント用機器２の前面４には、スイッチ類やケーブルの接続端子等が配置されている。ラックマウント用機器２は、ラックの前面４側から固定可能であるように、側面部５に取り付け金具６を取り付け、取り付け金具６を介してラックに固定される。
【００１４】
請求項１に係る構造を説明する。取り付け金具６は、断面略コ字状に折曲し、前面側に固定部７、背面側に支持部８、中間部に機器取り付け部９を形成している。機器取り付け部９にはねじ穴１０が設けられ、ラックマウント用機器２の側面部５に固定ねじ１１により取り付け金具６が固定される。固定部７にはねじ挿通孔１２が設けられ、支持部８には支持穴１３が設けられる。取り付け金具６をラックマウント用機器２に取り付けた状態で、ラックマウント用機器２はラックに固定されるが、固定部７はマウントアングル１の機器固定部３に対向させ、固定穴とねじ挿通孔１２にそれぞれねじ１４を挿通する。支持部８は、マウントアングル１に取り付けられた支持金具１５に対向させ、支持穴１３にねじ体１６を挿通する。このように、ラックマウント用機器２は、取り付け金具６を介して、取り付け金具６の固定部７と支持部８の二ヶ所で支持させながら、ラックに収納固定される。
【００１５】
請求項２に係る構造を説明する。支持部８に設けられた支持穴１３にねじ体１６が突出可能であるように、かしめ加工によりパネルファスナー１７を取り付ける。パネルファスナー１７にはねじ体１６が組み込まれていて、パネルファスナー１７をかしめて取り付けることで、支持部８にねじ体１６が実装されることになる。近年の情報化に伴い、機器の数は増え、ラックには密集させて機器が搭載されるので、機器のラックへの取り付け作業は狭いところでの作業となる。ラックマウント用機器２を取り外す時に、誤ってねじを脱落させてしまうと、機器が密集して取り付けられているラックから取り出すことが困難であったり、脱落した場所が悪いと短絡事故の発生の虞もあり、安全でない。不用意にねじが脱落しないように、かしめ加工によってパネルファスナー１７を取り付け金具６に実装することで、脱落の虞がなくなり安全である。
【００１６】
請求項３に係る構造を説明する。支持部８をパネルファスナー１７のねじ体１６により、マウントアングル１や支持金具１５へ固定するときに、ラックの前面４側から作業が行えるように、取り付け金具６の固定部７には、裏面側への貫通穴１８を設ける。固定部７を機器固定部３を介してマウントアングル１に固定した後、貫通穴１８にドライバー等の工具１９を差し込み、背面側の支持部８のねじ体１６を締めて、支持部８を支持金具１５へ支持させる。
【００１７】
ラックマウント用機器２をラックへ取り付ける際の、後方部の支持は、ラックに支持金具１５を取り付けて行う方法に限定されるものではなく、例えば、ラックに設置されているマウントアングルに支持部を一体に設け、支持部に取り付け金具の支持部を対向させてもよい。
【００１８】
以上のように構成されたラックマウント用機器の取り付け構造では、ラックに取り付け金具を介してラックマウント用機器が固定され、取り付け金具の固定部と支持部との二点で支持されるので、確実な固定となる。ラックの輸送時にもラックマウント用機器が振れることがなく、ラック内部に密集して機器が搭載されていても、隣接する機器に影響を及ぼすことはない。
【００１９】
ラックマウント用機器の取り付けは前面から行え、ラックの側面部に作業スペースがとれなくても円滑に作業を行えるため作業性が向上する。
【図面の簡単な説明】
【００２０】
【図１】ラックマウント用機器の取り付け構造を示す説明図である。
【図２】取り付け金具を示す拡大図である。
【図３】取り付け金具を支持金具に取り付けた状態を示す説明図である。
【図４】従来のラックマウント用機器の取り付け構造を示す説明図である。
【図５】従来の取り付け金具を示す説明図である。
【符号の説明】
【００２１】
１    マウントアングル
２    ラックマウント用機器
３    機器固定部
４    前面
５    側面部
６    取り付け金具
７    固定部
８    支持部
９    機器取り付け部
１０  ねじ穴
１１  固定ねじ
１２  ねじ挿通孔
１３  支持穴
１４  ねじ
１５  支持金具
１６  ねじ体
１７  パネルファスナー
１８  貫通穴
１９  工具
【図１】
2009283729.tif 000003
【図２】
2009283729.tif 000004
【図３】
2009283729.tif 000005
【図４】
2009283729.tif 000006
【図５】
2009283729.tif 000007